(57)【要約】【課題】  近年、エアフィルタ業界においても産業廃棄物を減らし自然環境を良くし、さらにコストを低減する観点から、フィルタ濾材を交換する濾材交換型フィルタが採用されてきているが、構造及び操作簡単にしてフィルタ濾材を取り換えられ且つ高い気密性を維持するフィルタ枠はいまだ十分でなかった。そこで本発明はこれらの要求を解決しょうとしたものである。【解決手段】  上板２と下板３および両側の側板４ａ，４ｂから構成したフィルタ枠１の上板２に折り曲げ形状部５ａ、５ｂを設け、この折り曲げ形状部５ａ、５ｂを両側板４ａ，４ｂの上部内面に形成した板片７と両側板４ａ，４ｂとの隙間に嵌め込むことにより、上板２の着脱を行なえるようにしさらに両側板４ａ，４ｂの内面と上板２と下板３の内面に弾性のあるシール材９を貼り付けることによりフィルタ濾材１０を簡単に且つ気密性の高い状態で取り換えらるようにしたエアフィルタを提供するものである。【選択図】  図２
2006110530.tif 000002
【特許請求の範囲】
【請求項１】
上板と下板および両側の側板とからなるフィルタ枠にジグザグ状に折り曲げたフィルタ濾材を着脱自在に収納した濾材交換型エアフィルタにおいて、フィルタ枠の両側板の下部を下板に接合し、上板の左右両端を側板に向けて折り曲げた折り曲げ形状部を両側板の上部に嵌め込む形態にして、容易に上板の着脱が出来るようにしたエアフィルタ。
【請求項２】
前記上板の左右両端の折り曲げ形状部を二股形状にしたことを特徴とする請求項１記載のエアフィルタ。
【請求項３】
前記両側板の上端部内面には、座金を介して板片をリベットで取り付け、上板の左右両端の折り曲げ形状部を嵌め込む間隙を形成したことを特徴とする請求項１記載のエアフィルタ。
【請求項４】
両側板の内面と上板、下板の内面に弾性のあるシール材を貼り付け、収納したフィルタ濾材の周囲とフィルタ枠内面とを気密に接触するようにしたことを特徴とする請求項１記載のエアフィルタ。
【発明の詳細な説明】
【技術分野】
【０００１】  本発明は、ジグザグ状に折り曲げたフィルタ濾材とフィルタ枠からなり、フィルタ濾材を簡単に取り換え自在に収納するフィルタ枠を備えたエアフィルタに関するものである。
【背景技術】
【０００２】  この種のエアフィルタとしては、例えば図７と図８に示すように方形状に形成されたフィルタ枠１０１にジグザグ状に折り曲げた濾材１０２を収納したものがある。このものは、上板１０３の左右両端を両側板１０４にネジ１０５止めしてあり、ネジ１０５を外し、上板１０３を取り外すことにより、濾材交換が可能である。しかしながら、このエアフィルタでは、ネジ１０５を外すための工具が必要であり、手間もかかるしまた、外したネジ１０５を紛失する恐れがある。【０００３】  また、特許文献１に方形状に形成されたフィルタ枠の左右の側板上端部に小窓を設け、蓋側板には前記小窓に着脱可能にした突起部材を一体に取り付けて、濾材をフィルタ枠に交換可能にした発明が開示されている。しかしながら、この発明では突起部材を特別に製作しなければならない上、小窓に着脱可能に出来るよう取り付けなければならないことからフィルタ枠の組み立て作業に手間が要求される上、コスト低減にも限界があった。【特許文献１】特開２００４−４１８７９
【発明の開示】
【発明が解決しょうとする課題】
【０００４】  本発明は上述の課題を解決するためのものであり、フィルタ枠の組み立てを簡単、確実にしてフィルタ濾材の交換をスムーズにするとともに十分なシール性を維持するようにしたエアフィルタを提供することを目的とする。
【課題を解決するための手段】
【０００５】  本発明の解決手段は、ジグザグ状に折り曲げたフィルタ濾材を上板と下板および両側の側板から構成したフィルタ枠に取り換え自在となした濾材交換型エアフィルタにおいて、フィルタ枠の両側板の下部を下板に接合し、上板の左右両端は側板に向けて折り曲げて、両側板の上部に嵌め込む形態にして容易に上板の着脱が出来るようにしたフィルタ枠を備えたエアフィルタを提供するものである。
【０００６】また上記問題解決手段による作用は次の通りである。すなわち、フィルタ枠の上板の左右両端を側板に向けて折り曲げ、両側板の上部に嵌め込む形態にしているので、フィルタ濾材の取り換えにあたっては、まず上板を持ち上げるだけで、両側板の上部に嵌め込んだ上板を外すことが出来るので、フィルタ濾材の取り換えが容易に行なえ、次ぎに上板を両側板の上部に押し込むだけといった簡単な方法で上板を嵌め込み再び新規なエアフィルタとして使用できるようにしたものである。このように上板を持ち上げたり、押し込んだりといった操作で、上板の着脱が容易に出来るようにしたフィルタ枠を備えたエアフィルタである。
【発明の効果】
【０００７】上述したように本発明のフィルタ枠は次のような効果が得られる。（１）フィルタ枠の上板の左右両端を側板に向けて折り曲げ、両側板の上部に嵌め込む形態にしているので、上板の着脱が容易に出来る。（２）上板を持ち上げたり、押し込んだりといった操作でフィルタ濾材をフィルタ枠に収納出来るので、ネジを外すための工具等はいらず、手間もかからない。また部品を紛失するといった問題がない。（３）構造が簡単である上、特別の部品を必要としないためコストの低減が図られる。（４）フィルタ枠の外面が前後面、周囲とも平坦に形成しているので、横スライド方式などの据え付けにも最適である。
【発明を実施するための最良の形態】
【０００８】以下、本発明の実施形態に係るフィルタ枠を添付図面に基づいて説明する。（実施形態）  フィルタ枠１は上板２と下板３および両側の側板４ａ，４ｂから構成されている。上板２の左右両端は側板４ａ，４ｂに向けて折り曲げ、それぞれ二股形状部５ａ、５ｂを形成している。左右の側板４ａ，４ｂの上端内面には、座金６を介して板片７をリベット８で取り付けている。上板２の左右両端の二股形状部５ａ、５ｂを両側板４ａ，４ｂの上部内面に形成された板片７と両側板４ａ，４ｂとの隙間に嵌め込むことにより、上板２の着脱を行なうことができる。上板２の左右両端の二股形状部５ａ、５ｂの板厚と、座金６の厚さとの度合いすなわち隙間具合によりまた、嵌め込み時の側板４ａ，４ｂとの寸法関係を拘束性のあるものにすることにより、エアフィルタ取り扱い時に上板２が離脱することなく、上板２の着脱を確実に且つ容易に行なうことが出来る。この嵌め込み構造によれば、特別な部品の製作は必要とせずまた、ネジなどの取り外し部品が紛失する恐れもない。両側板４ａ，４ｂの内面と上板２と下板３の内面には、弾性のあるシール材９を貼り付けてあり、収納したフィルタ濾材１０の周囲とフィルタ枠１内面は接触し気密が保持される。【０００９】  尚、本実施例では、上板２の左右両端を折り曲げ、二股形状部５ａ、５ｂとしたが、これに限定されるものではなく、嵌め込み可能な形状であればよい。また  上板２の左右両端を折り曲げた二股形状部５ａ、５ｂは板状の部品をリベットなどで上板に取り付けることでも良い。さらに、左右の側板４ａ，４ｂの上部内面に用いた座金６は、これに限定されることなく、スペーサとなるものであればよい。
【産業上の利用可能性】
【００１０】  本発明はジグザグ状に折り曲げたフィルタ濾材を簡単に取り換え自在に収納するフィルタ枠の濾材交換型エアフィルタで、フィルタ濾材寿命時にはフィルタ濾材のみを廃棄すればよく、近年要求されている廃棄物の減少に最適なものである。
【図面の簡単な説明】
【００１１】
【図１】本発明の実施例を示すエアフィルタの斜視図である。
【図２】図１のエアフィルタを分解した状態を示す斜視図である。
【図３】上板と側板との上部関係を示す断面図である。
【図４】上板と側板との上部関係を示す内面視図である。
【図５】上板と側板との上部関係を示す平断面図である。
【図６】下板と側板との下部関係を示す断面図である。
【図７】従来のエアフィルタの斜視図である。
【図８】従来のエアフィルタを分解した状態を示す斜視図である。
【符号の説明】
【００１２】１・・・フィルタ枠        ２・・・上板              ３・・・下板４ａ、４ｂ・・・側板        ５ａ、５ｂ・・・二股形状    ６・・・座金７・・・板片        ８・・・リベット      ９・・・シール材１０・・・フィルタ濾材
【図１】
2006110530.tif 000003
【図２】
2006110530.tif 000004
【図３】
2006110530.tif 000005
【図４】
2006110530.tif 000006
【図５】
2006110530.tif 000007
【図６】
2006110530.tif 000008
【図７】
2006110530.tif 000009
【図８】
2006110530.tif 000010